(57)【要約】【課題】宝石サンゴを育成して、できれば宝石サンゴを折ることなく採取できる宝石サンゴ採取具を提供する。【解決手段】枠体２の重心Ｇより下方に、宝石サンゴの子株34を植えつけた育成基盤３を固定し、前記枠体２の重心Ｇより上方に、回収用のフックを引っ掛ける回収枠を設けて構成される宝石サンゴ採取具１である。回収枠は、枠体２の水平棒を掛合棒とし、前記水平棒の両端近傍で交差する交差棒をストッパ部231として構成される。【選択図】図１
2019088251.tif 000002
【特許請求の範囲】
【請求項１】
枠体の重心より下方に、宝石サンゴの子株を植えつけた育成基盤を固定し、
前記枠体の重心より上方に、回収用のフックを引っ掛ける回収枠を設けて構成される宝石サンゴ採取具。
【請求項２】
回収枠は、水平に延びる掛合棒の両端それぞれに、前記掛合棒に対して凸な段差を形成するストッパ部を設けた請求項１記載の宝石サンゴ採取具。
【請求項３】
回収枠は、枠体の水平棒を掛合棒とし、前記水平棒の両端近傍で交差する交差棒をストッパ部とする請求項２記載の宝石サンゴ採取具。
【請求項４】
育成基盤は、上面に宝石サンゴの子株を植えつけたブロック体又は板体で、枠体に着脱自在とした請求項１〜３いずれか記載の宝石サンゴ採取具。
【発明の詳細な説明】
【技術分野】
【０００１】
本発明は、宝石サンゴを育成した後に採取するための宝石サンゴ採取具に関する。
【背景技術】
【０００２】
造礁サンゴは、近年の温暖化に起因すると見られる死滅が相次ぎ、減少傾向にある。こうした事態を受けて、様々な造礁サンゴ育成礁が提案されている。造礁サンゴ育成礁は、着床させる又は予め保持させた造礁サンゴの子株を育成するための沈設物（海中に浮かせる構造物を含む）を指す。サンゴ礁は、多数の子株を着生させる又は保持させた造礁サンゴ育成礁を多数並べて沈設することにより形成される。
【０００３】
特許文献１は、上面を傾斜面とし、前記傾斜面に傾斜方向の傾斜溝を形成し、かつ前記傾斜面に支持棒を設置したコンクリート製ブロック体である造礁サンゴ育成礁（サンゴ着生ブロック）（特許文献１・［請求項１］）と、コンクリート製のブロックである生物生息ブロックとから構成されるサンゴ着生基盤を開示する（特許文献１・［請求項３］）。特許文献１が開示する造礁サンゴ育成礁は、凸凹した表面が造礁サンゴの定着に寄与する等の効果を有する（特許文献１・［0006］）。
【０００４】
特許文献２は、石炭灰硬化体やコンクリートにより作られ、子株（サンゴ種苗）が埋め込まれた造礁サンゴ育成礁（造園ブロック）を開示する。造礁サンゴ育成礁は、移植海域に並べて敷設され、移植マウンドを構成する（特許文献２・［請求項１］）。特許文献２が開示する移植マウンドは、造礁サンゴ育成礁を海底の地形に応じて立体的に並べることができ、各造礁サンゴ育成礁に埋め込まれた子株を様々組み合わせることで、サンゴ礁を造園できるとしている（特許文献２・［0005］）。
【先行技術文献】
【特許文献】
【０００５】
【特許文献１】特開2011-125239公報
【特許文献２】特開平11-308939号公報
【発明の概要】
【発明が解決しようとする課題】
【０００６】
ところで、宝石サンゴも、造礁サンゴ同様、温暖化や乱獲の影響を受けて減少傾向にある。そこで、宝石サンゴを増殖させるため、特許文献１又は特許文献２が開示する造礁サンゴ育成礁を利用し、宝石サンゴを育成することが検討される。具体的には、特許文献１又は特許文献２が開示する造礁サンゴ育成礁に宝石サンゴの子株を植えつけて海底に設置し、宝石サンゴが十分に育成した段階で採取する。しかし、特許文献１又は特許文献２が開示する造礁サンゴ育成礁を宝石サンゴの育成、採取に利用するには、問題がある。
【０００７】
宝石サンゴは、概ね水深100m以上の海底に生息するとされる。このことから、宝石サンゴの子株を植えつけた特許文献１又は特許文献２が開示する造礁サンゴ育成礁は、前記水深の海底に沈設しなければならない。ところが、特許文献１又は特許文献２が開示する造礁サンゴ育成礁は、前記水深から回収する手段がない。このため、育成された宝石サンゴを採取するには、従来通り、サンゴ網に引っ掛けて採取することになる。これでは、造礁サンゴ育成礁が使い捨てになるほか、時間をかけて育成した宝石サンゴを折ってしまい、装飾品としての価値を低下させることになり、好ましくない。
【０００８】
造礁サンゴは、採取することを前提とせず、造礁サンゴ育成礁を使い捨てにしてサンゴ礁を形成してもよい。しかし、宝石サンゴは、採取することを前提とし、利用した造礁サンゴ礁を回収して、生息海域の過度な破壊を回避したい。このように、特許文献１又は特許文献２が開示する造礁サンゴ育成礁を利用して宝石サンゴを育成することは、難しい。そこで、宝石サンゴを育成し、できれば宝石サンゴを折ることなく採取できる宝石サンゴ採取具を開発するため、検討した。
【課題を解決するための手段】
【０００９】
検討の結果開発したものが、枠体の重心より下方に、宝石サンゴの子株を植えつけた育成基盤を固定し、前記枠体の重心より上方に、回収用のフックを引っ掛ける回収枠を設けて構成される宝石サンゴ採取具である。枠体は、棒体を組み付けて構成される。棒体は、要求される強度を確保できれば、樹脂製や樹脂皮膜金属パイプでもよい。しかし、宝石サンゴ採取具の沈設期間の腐食を考慮しつつ、宝石サンゴ採取具を沈降時の抵抗を低減するために投影面積を小さくする観点から、枠体を構成する棒体は、腐食代を加味した外形を有する中実構造が好ましい。育成基盤は、宝石サンゴを植えつけた状態で枠体に固定されるブロックで、宝石サンゴの育成期間経過後まで枠体から脱落しない構造であればよい。
【００１０】
本発明の宝石サンゴ採取具は、宝石サンゴの子株を植えつけた育成基盤を枠体ごと沈設し、宝石サンゴの育成期間経過後、前記育成基盤を枠体ごと回収する。回収枠は、回収用のフックを引っ掛けて枠体ごと育成基盤を回収できるようにする。枠体は、重心より下方に育成基盤、上方に回収枠を配置することにより、沈降する宝石サンゴ採取具の姿勢を、育成基盤より回収枠が上方に位置する姿勢に維持させる。これにより、沈設された宝石サンゴ採取具は、育成基盤を囲む枠体の上方に回収枠を配置させ、回収用のフックが回収枠に引っ掛かる際、育成基盤の育成された宝石サンゴに接触する恐れをなくする。
【００１１】
回収用のフックは、例えば船上から海中に降ろしたロープの下端に取り付け、船の移動により海中で引っ張ることにより回収枠に引っ掛けさせる。このとき、ロープが先行して回収枠に接触しながら、引っ張る間に回収枠から外れる恐れがある。そこで、回収枠は、水平に延びる掛合棒の両端それぞれに、前記掛合棒に対して凸な段差を形成するストッパ部を設けた構成にするとよい。ロープは、掛合棒に擦れながら端部に寄っていっても、ストッパ部に掛止され、前記掛合棒から外れなくなり、フックが掛合棒に引っ掛かる。
【００１２】
回収枠は、育成基盤を固定する枠体に対して別体で取り付けてもよいが、前記枠体の重心より上方に位置する枠体の構成要素を利用してもよい。具体的には、回収枠は、枠体の水平棒を掛合棒とし、前記水平棒の両端近傍で交差する交差棒をストッパ部とした構成である。枠体が、矩形に組まれた金属棒体を土台とし、前記土台の四隅に柱となる金属棒体を立て、前記柱に梁及び桁となる金属棒体を掛け渡した方形枠体である場合、掛合棒は梁及び桁で、ストッパ部は柱の上端部となる。
【００１３】
宝石サンゴの採取を考えた場合、回収枠にフックを掛けて引き上げた後、宝石サンゴを簡単に採取できる宝石サンゴ採取具が好ましい。これから、育成基盤は、上面に宝石サンゴの子株を植えつけたブロック体又は板体で、枠体に着脱自在にするとよい。ブロック体又は板体は、例えばコンクリート製又はモルタル製である。着脱手段は、従来公知の各種手段を利用できる。例えば育成基盤に貫通させた基盤側挿通孔と、枠体に設けた枠体側挿通孔とを連通させ、両者にボルトを通してナットで締め付ける構造にすれば、宝石サンゴ採取具の沈降時及び回収時に育成基盤が枠体から脱落しなくなり、好ましい。
【発明の効果】
【００１４】
本発明の宝石サンゴ採取具は、宝石サンゴを育成して確実に採取させる。従来、宝石サンゴは、サンゴ網に偶然引っ掛けられて採取されていたため、採取できる可能性が偶然に左右され、低かった。宝石サンゴ採取具は、沈設位置が特定されているため、宝石サンゴを確実に採取できるようにする。また、宝石サンゴ採取具は、宝石サンゴを回収枠に囲んだ状態で育成し、前記回収枠に設けられた回収枠にフックを引っ掛けて回収されるため、育成から採取に至るまで、宝石サンゴを折る恐れが少なく、商品価値の高い宝石サンゴの採取を可能にする。こうして、本発明の宝石サンゴ採取具は、宝石サンゴの採取を安定した商業的な事業にする効果がある。
【００１５】
掛合棒の両端にストッパ部を設けた回収枠は、ロープが掛合棒の両端部から外れないようにしてフックを前記掛合棒に引っ掛けさせる。これにより、フックが回収枠に引っ掛からずに宝石サンゴ採取具の回収に失敗する恐れをなくし、前記宝石サンゴ採取具の回収にかかる労力及び時間を低減させる。こうした宝石サンゴ採取具の回収にかかる労力及び時間の提言は、宝石サンゴの採取を安定した商業的な事業にする効果に繋がる。
【００１６】
枠体の水平棒を掛合棒とし、前記水平棒の両端近傍で交差する交差棒をストッパ部とした回収枠は、枠体を構成すれば完成するため、別途製作したり、枠体に取り付けたりする必要がない。また、前記回収枠は、枠体と一体に構成されるため、強度を高めてフックを引っ掛ける際の衝撃にも耐えやすくなる利点がある。
【００１７】
上面に宝石サンゴの子株を植えつけたブロック体又は板体で、枠体に着脱自在な育成基盤は、枠体に対して着脱自在にすることで、宝石サンゴ採取具の沈降直前まで子株と共に水槽に沈めて前記子株の状態保持ができたり、宝石サンゴ採取具の回収後に宝石サンゴと一体に枠体から取り外して前記宝石サンゴを採取できたりする。また、コンクリート製又はモルタル製のブロック体又は板体である育成基盤は、重量物として枠体の重心を更に下方へとずらし、沈降する宝石サンゴ採取具の姿勢を安定させる働きもある。
【図面の簡単な説明】
【００１８】
【図１】本発明を適用した宝石サンゴ採取具の一例を表す斜視図である。
【図２】本例の宝石サンゴ採取具を構成する枠体の斜視図である。
【図３】本例の宝石サンゴ採取具を構成する育成基盤の斜視図である。
【図４】本例の宝石サンゴ採取具の正面図である。
【図５】本例の宝石サンゴ採取具の側面図である。
【図６】本例の宝石サンゴ採取具の平面図である。
【図７】本例の宝石サンゴ採取具の底面図である。
【図８】本例の宝石サンゴ採取具の沈設手順を表す正面図である。
【図９】本例の宝石サンゴ採取具の沈設状態を表す平面図である。
【図１０】本例の宝石サンゴ採取具の回収手順１を表す正面図である。
【図１１】回収用のフックを下端に取り付けたロープを枠体の梁に接触させた状態を表す正面図である。
【図１２】回収用のフックを下端に取り付けたロープを枠体の梁に接触させた状態を表す平面図である。
【図１３】本例の宝石サンゴ採取具の回収手順２を表す正面図である。
【図１４】本例の宝石サンゴ採取具から宝石サンゴを採取する状態を表す斜視図である。
【発明を実施するための形態】
【００１９】
以下、本発明を実施するための形態について図を参照しながら説明する。本発明の宝石サンゴ採取具１は、例えば図１に見られるように、直方体外形の枠体２の土台21に育成基盤３をボルト32及びナット33で固定して構成される。本例の宝石サンゴ採取具１は、６基の育成基盤３を枠体２に固定できる構成で、各育成基盤３に３株の宝石サンゴの子株34を植え付けている。このため、本例の宝石サンゴ採取具１は、子株34をうまく育成できれば、18株もの宝石サンゴ35が採取できる。
【００２０】
枠体２は、図２に見られるように、断面方形の中実な鋼材を組み付けて構成される。鋼材相互は、溶接により固着する。鋼材は、腐食代を考慮し、30mm〜45mm角とする。本例の枠体２は、鋼材を水平面内で1000mm四方の方形に組んだ土台21に、前後３本ずつを組とした合計６本の根太22となる鋼材を掛け渡し、土台21の四隅内側に添えて高さ500mmの柱23となる鋼材を４本立て、前記柱23に桁24及び梁25となる鋼材を、土台21を構成する鋼材に対して400mmほど間隔を開けた高さに掛け渡して構成される。根太22となる鋼材は、育成基盤３の固定位置に合わせ、前記育成基盤３を固定するボルト32を通す枠体側挿通孔221を設けている。こうした鋼材を組み付けて構成される本例の枠体２は、約150kg程度となる。
【００２１】
回収枠は、枠体２を構成する桁24及び梁25を水平な掛合棒とし、前記桁24及び梁25が交わる角部から上方に突出する柱23の上端部231をストッパ部として構成される。フック42を下端に取り付けたロープ41は、桁24又は梁25の両端いずれか外れようとしても、前記両端に位置するストッパ部となる柱23の上端部231に引っ掛かり、前記桁24又は梁25から外れない。これにより、ロープ41下端のフック42は、桁24又は梁25に確実に引っ掛けることができる（後掲図12参照）。
【００２２】
育成基盤３は、図３に見られるように、幅60mm、高さ40mmの方形断面で、長さ500mmである直方体のコンクリート製のブロック体からなる。本例の育成基盤３は、両端に寄った位置で上下に貫通する基盤側挿通孔31を２つ設け、前記基盤側挿通孔31間の上面に等間隔で子株受け付け穴341を設けている。基盤側挿通孔31は、枠体２の枠隊側挿通孔221と連通させてボルト32を通す。子株受け付け穴341は、別途採取した宝石サンゴから切り分けた子株34を植え付ける窪みである。
【００２３】
本例の育成基盤３は、枠体２の根太22に直交して掛け渡し、基盤側挿通孔31を枠体側挿通孔221に連通させてボルト32を通し、前記ボルト32にナット33を螺着することにより、枠体２に固定する。ボルト32及びナット33の固定手段は、育成基盤３を枠体２に着脱自在とする。これにより、本例の育成基盤３は、宝石サンゴ採取具１を沈設する直前まで枠体２から外して別に管理したり、宝石サンゴ採取具１を回収後、直ちに枠体２から取り外して生育した宝石サンゴ35を採取できたりする。
【００２４】
枠体２は、図４及び図５に見られるように、上下非対称で、土台21に６本の根太22となる鋼材を掛け渡しているため、重心Ｇが上下中間よりやや下方にある。育成基盤３は、枠体２の根太22に固定されるため、枠体２の重心Ｇより下方に位置し、しかもコンクリート製のブロック体であるから重量物である。また、回収枠は、枠体２の重心Ｇより上方にある桁24又は梁25により構成されるから、枠体２の重心Ｇより上方にあり、しかも鋼材を組んだだけで、育成基盤３に比べて相対的に軽量物である。こうして、本例の宝石サンゴ採取具１は、沈降時の姿勢を、育成基盤３より回収枠が上方に位置する姿勢に維持させる。
【００２５】
育成基盤３は、図６及び図７に見られるように、ボルト32及びナット33や宝石サンゴの子株34が、土台21、柱23、桁24及び梁25に囲まれる空間内に収まるように、枠体２に固定される。これにより、育成基盤３自体が枠体２から突出しないため、例えば宝石サンゴ採取具１の沈降時に枠体２が岩塊に衝突しても、育成基盤３が破損する恐れを低減している。また、本例の枠体２は、土台21と桁24又は梁25の間隔が400mm程度なので、例えば宝石サンゴ採取具１の沈設後、鮫等の巨大魚が育成基盤３に植え付けた宝石サンゴの子株34に衝突する恐れをなくしている。
【００２６】
本例の宝石サンゴ採取具１を用いた宝石サンゴの育成及び採取について説明する。宝石サンゴ採取具１は、船４に積んで沈設海域まで運ぶ。宝石サンゴ採取具１は、育成基盤３を取り外して運ぶことが望ましい。これにより、宝石サンゴの子株34は、育成基盤３に植え付けながら、前記育成基盤３と共に水槽に沈めた状態で運ぶことができ、運搬に際して外気に晒すことによる弱体化を回避できる。育成基盤３は、宝石サンゴ採取具１を海５に投下する寸前に水槽から取り出し、ボルト32及びナット33で枠体２に固定する。
【００２７】
こうして育成基盤３を枠体２に固定した宝石サンゴ採取具１は、図８に見られるように、育成基盤３を下、回収枠を上にした姿勢で海５に投下する。船４から海５へ宝石サンゴ採取具１を投下する手段は、例えば船４に搭載されたクレーンを使用する。海５に投下された宝石サンゴ採取具１は、海水の抵抗や海流の影響を受けて多少揺動したりするが、基本的に投下された際の姿勢、すなわち育成基盤３を下、回収枠を上にした姿勢を保って沈降し、そのまま海底51に着底し、沈設される。
【００２８】
宝石サンゴ採取具１は、沈設海域に複数沈設する。宝石サンゴ採取具１を沈設する数や沈設する位置関係、沈設位置における各宝石サンゴ採取具１の向きの異同は、自由である。後述するフック42での回収を考慮した場合、例えば図９に見られるように、同じ向きの宝石サンゴ採取具１を碁盤の目の位置に並べて沈設するとよい。便宜上、図示では、各宝石サンゴ採取具１の向きを一致させているが、実際には必ずしも一致しなくてもよい。それでも、碁盤の目の位置に並べた宝石サンゴ採取具１は、沈設する位置関係が把握しやすく、フック42を桁24又は梁25に引っ掛けて回収しやすくなる。
【００２９】
宝石サンゴ採取具１は、子株34が十分に育つ年数（50年〜150年）だけ沈設させておき、育成期間経過後、回収する。宝石サンゴ採取具１は、例えば船４のクレーン（図示略）から海５に降ろしたロープ41のフック42を枠体２の回収枠に引っ掛けて回収する。フック42は、図10に見られるように、海底51に引きずりながら、宝石サンゴ採取具１の一方向から接近させる。この場合、隣り合う宝石サンゴ採取具１の間をフック42が通過することもあるが、ここではフック42が宝石サンゴ採取具１に接近する場合を説明する。
【００３０】
フック42が宝石サンゴ採取具１に接近する場合、図11に見られるように、例えばロープ41が回収枠を構成する枠体２の梁25に当接する（ロープ41は、宝石サンゴ採取具１の向きにより、枠体２の桁24に当接する場合もある）。このまま、船４が進行する（図11中右方、白抜き矢印参照）と、フック42が前記梁25に引っ掛かる。本発明の宝石サンゴ採取具１は、枠体２の回収枠にフック42を引っ掛けた状態でロープ42を巻き上げることにより海底51から引き上げられ、回収される。
【００３１】
ここで、フック42が宝石サンゴ採取具１に接近する方向が桁24又は梁25に直交するとは限らず、むしろ斜めから接近する場合が多いと考えられる。例えば梁25に対して水平面内で斜め方向から当接したロープ41は、図12に見られるように、船４の進行（図12中右斜め下方、白抜き矢印参照）に合わせて、梁25の端部に向けてずれていく（図12中下方）。しかし、ロープ41は、柱23の上端部231を回収枠のストッパ部として引っ掛かることにより、梁25の端部から外れることが防止される。
【００３２】
このように、ロープ41は、回収枠のストップ部となる柱23の上端部231に引っ掛かり、回収枠を構成する梁25（又は桁24）に一旦当接すれば、前記梁25（又は桁24）から外れない（図12参照）。そして、フック42は、前記梁25（又は桁24）に確実に引っ掛かる。ここで、フック42が梁25の端部に向けてずれていくと、ロープ41同様、回収枠のストップ部となる柱23の上端部231に引っ掛かる。この場合、フック42は、前記柱23の上端部231にも引っ掛かるため、梁25（又は桁24）から、より外れにくくなる。
【００３３】
回収枠を構成する桁24又は梁25は、育成基盤３を囲む枠体２上方に配置されているから、ロープ41及びフック42が前記桁24又は梁25に引っ掛かる際、育成基盤３の育成された宝石サンゴ35に接触する恐れがない。これは、育成された宝石サンゴ35の枝が、ロープ41又はフック42に折られることのないことを意味する。こうして、本発明の宝石サンゴ採取具１を用いると、枝を折ることなく、商品価値の高い宝石サンゴ35の採取を可能にする。この点が、従来の漁網を用いたサンゴ漁と本発明の宝石サンゴ採取具１を用いた採取方法との大きな相違点となる。
【００３４】
フック42は、桁24又は梁25に一度引っ掛かると、船４が停止又は進行を弱めない限り、前記桁24又は梁25から外れる恐れがない。そして、ロープ41を巻き上げることにより、図13に見られるように、宝石サンゴ採取具１を海底51から引き上げることができる。宝石サンゴ採取具１が海底51から離れると、ロープ41に加わる負荷が一段と高まるため、前記負荷の変動が確認できれば、船４を停止させてロープ41を巻き上げるだけで宝石サンゴ採取具１を回収するとよい。
【００３５】
回収を終えた宝石サンゴ採取具１は、図14に見られるように、例えば船４において、ボルト32及びナット33を外して枠体２から育成基盤３を取り外し、更に育成基盤３から育成された宝石サンゴ35を採取する。本例の育成基盤３は、それぞれ３株ずつ子株34を植え付けていたが、全てが等しく生育するわけではない。しかし、本発明の宝石サンゴ採取具１を用いれば、少なからず商品価値があるまでに生育した宝石サンゴ35を、枝を折ることなく、すなわち前記商品価値を損ねることなく採取できる利点がある。これにより、宝石サンゴ35の採取を安定した商業的な事業にできる。
【符号の説明】
【００３６】
１  宝石サンゴ採取具
２  枠体
21  土台
22  根太
221  枠体側挿通孔
23  柱
231  上端部
24  桁
25  梁
３  育成基盤
31  基盤側挿通孔
32  ボルト
33  ナット
34  宝石サンゴの子株
341  子株植え付け穴
35  生育した宝石サンゴ
４  船
41  ロープ
42  フック
５  海
51  海底
Ｇ  枠体の重心
【図１】
2019088251.tif 000003
【図２】
2019088251.tif 000004
【図３】
2019088251.tif 000005
【図４】
2019088251.tif 000006
【図５】
2019088251.tif 000007
【図６】
2019088251.tif 000008
【図７】
2019088251.tif 000009
【図８】
2019088251.tif 000010
【図９】
2019088251.tif 000011
【図１０】
2019088251.tif 000012
【図１１】
2019088251.tif 000013
【図１２】
2019088251.tif 000014
【図１３】
2019088251.tif 000015
【図１４】
2019088251.tif 000016